(57)【要約】【課題】引戸扉が閉鎖する直前に加えて、引戸扉の全閉と全開の中間位置において引戸扉の制動を行うようにすることによって、開口部の中心付近で引戸扉の移動速度が増大し過ぎることを防止するようにした引戸扉の制動装置を提供すること。【解決手段】引戸扉４に配設した回転式制動機構１０と、該回転式制動機構１０の回転軸１０ａに取り付けたピニオン１１と噛合する、引戸枠部材２に配設したラック部材１２、１３とからなる引戸扉４の制動装置において、前記ラック部材１２、１３を、引戸扉４の全閉該当位置近傍の固定側と、全閉と全開の中間該当位置近傍の固定側とに、それぞれ配設する。【選択図】図１
2008007957.tif 000002
【特許請求の範囲】
【請求項１】
引戸扉に配設した回転式制動機構と、該回転式制動機構の回転軸に取り付けたピニオンと噛合する、引戸枠部材に配設したラック部材とからなる引戸扉の制動装置において、前記ラック部材を、引戸扉の全閉該当位置近傍の固定側と、全閉と全開の中間該当位置近傍の固定側とに、それぞれ配設したことを特徴とする引戸扉の制動装置。
【請求項２】
前記引戸扉の全閉と全開の中間該当位置近傍の固定側に配設するラック部材を、引戸扉を吊り下げる走行用レールと平行に形成した取付部に、取付位置を変更可能に配設したことを特徴とする請求項１記載の引戸扉の制動装置。
【発明の詳細な説明】
【技術分野】
【０００１】
本発明は、引戸扉の制動装置に関し、特に、回転一方向に制動機能を有した回転式の制動機構を用いた引戸扉の制動装置に関するものである。
【背景技術】
【０００２】
従来、引戸扉の制動装置として、引戸上部に回転一方向の制動機能を有した制動機器を利用したものが提案されている。
【０００３】
この引戸扉の制動装置５０は、図６に示すように、引戸扉４の上部にブラケット５ａ、５ｂを介して取り付けられる走行車輪４ａ、４ｂを載置し、引戸扉４を吊り下げる走行用レール６を備えた引戸装置に適用するもので、引戸扉４の上部、例えば、ブラケット５ａに回転一方向側に制動機能を有する制動機器５１を配設し、この制動機器５１の回動軸５１ａにピニオン５２を取り付け、引戸扉４の全開該当位置近傍の固定側（例えば、引戸枠部材２）と、全閉該当位置近傍の固定側（同上）とに、ピニオン５２と噛合するラック５３ａ、５３ｂを配設するようにしている。
【０００４】
そして、ピニオン５２は、前記回転一方向側と逆方向側に、つまり、引戸扉４の全閉・全開位置からの移動時に制動作用が働くことのないように、回転一方向側に制動機能を有する（図例によるときは反時計回りの方向に制動機能を有する）所謂ワンウェイベアリングを採用している。
制動機器５１の回動軸５１ａに取り付けたピニオン５２に対して、引戸扉４の全閉該当位置近傍の固定側に配設するラック５３ａは、ラック歯を上側に向けた方向に配設し、一方、引戸扉４の全開該当位置近傍の固定側に配設するラック５３ｂは、ラック歯を下側に向けた方向に配設する。これにより、１つの制動機器５１によって、引戸扉４の全開位置の近傍及び全閉位置の近傍において、引戸扉４に制動を与えることができるようにしている（特許文献１参照）。
【０００５】
なお、図７〜図８に示すように、引戸扉４の全開該当位置近傍の固定側に配設するラック５３ｂを省略し、引戸扉４の全閉該当位置近傍の固定側にラック５３ａを配設することにより、事故を防止するために特に重要となる引戸扉４の全閉位置の近傍において、引戸扉４に制動を与えることができるようにした引戸扉の制動装置も提案されている。
【０００６】
ところで、例えば、ピニオン５２を引戸扉４の前方に配設する場合には、引戸扉４の全閉該当位置近傍の固定側に配設するラック５３ａは、具体的には、縦枠２ａから３００〜５００ｍｍ程度の位置に配設し、引戸扉４が閉鎖する直前から引戸扉４に制動を与えるようにしている。
一方、この種の引戸扉の制動装置を用いる引戸装置では、通常、図７〜図８に示すように、引戸扉４を全開位置から閉鎖位置に向かって自動的に移動させるために、走行用レール６に勾配を設けるようにしているため、引戸扉４の移動速度は徐々に増していく構造となっている。
このため、引戸扉４の加速移動範囲Ｆ３が長く、引戸扉４が閉鎖する直前からしか引戸扉４の減速が始まらず、制動範囲Ｓ３が短い場合、例えば、開口幅の大きい引戸装置の場合には、開口部の中心付近で引戸扉４の移動速度が増大し過ぎるという問題があった。
【特許文献１】特許第２７３０８７１号公報
【発明の開示】
【発明が解決しようとする課題】
【０００７】
本発明は、上記従来の引戸扉の制動装置の有する問題点に鑑み、引戸扉が閉鎖する直前に加えて、引戸扉の全閉と全開の中間位置において引戸扉の制動を行うようにすることによって、開口部の中心付近で引戸扉の移動速度が増大し過ぎることを防止するようにした引戸扉の制動装置を提供することを目的とする。
【課題を解決するための手段】
【０００８】
上記目的を達成するため、本発明の引戸扉の制動装置は、引戸扉に配設した回転式制動機構と、該回転式制動機構の回転軸に取り付けたピニオンと噛合する、引戸枠部材に配設したラック部材とからなる引戸扉の制動装置において、前記ラック部材を、引戸扉の全閉該当位置近傍の固定側と、全閉と全開の中間該当位置近傍の固定側とに、それぞれ配設したことを特徴とする。
【０００９】
この場合において、前記引戸扉の全閉と全開の中間該当位置近傍の固定側に配設するラック部材を、引戸扉を吊り下げる走行用レールと平行に形成した取付部に、取付位置を変更可能に配設することができる。
【発明の効果】
【００１０】
本発明の引戸扉の制動装置によれば、ラック部材を、引戸扉の全閉該当位置近傍の固定側と、全閉と全開の中間該当位置近傍の固定側とに、それぞれ配設することにより、引戸扉が閉鎖する直前に加えて、引戸扉の全閉と全開の中間位置において引戸扉の制動を行い、これによって、開口部の中心付近で引戸扉の移動速度が増大し過ぎないようにして、老人や体の不自由な使用者が開口部の中央付近において引戸扉と衝突するといった事故の発生を未然に防止することができる。
【００１１】
また、引戸扉の全閉と全開の中間該当位置近傍の固定側に配設するラック部材を、引戸扉を吊り下げる走行用レールと平行に形成した取付部に、取付位置を変更可能に配設することにより、引戸扉の全閉と全開の中間位置における引戸扉の制動位置を簡便に調整することができる。
【発明を実施するための最良の形態】
【００１２】
以下、本発明の引戸扉の制動装置の実施の形態を、図面に基づいて説明する。
【実施例１】
【００１３】
図１〜図２に、本発明の引戸扉の制動装置１の第１実施例を示す。
この引戸扉の制動装置１は、主として自閉式の引戸装置に適用されるもので、本実施例のように引戸枠部材２の上部に配備し閉鎖方向に傾斜させた走行用レール６に引戸扉４の上部の前後に配設した走行車輪４ａ、４ｂを載置した吊り戸式のほか、引戸下面に配設した戸車を床面に敷設したレール上を走行させ、先端に錘を取り付けたワイヤで閉鎖方向に引戸扉４を付勢する形式であってもよく、また、自閉機能をもたない引戸装置にも適用することができる。
【００１４】
この引戸扉４の制動装置１は、出入り口に配置される引戸扉４と、引戸扉４の上部にブラケットを介して取り付けられる走行車輪４ａ、４ｂを載置し、引戸扉４を吊り下げる走行用レール６とを備えた引戸装置に適用するもので、前記引戸扉４が閉鎖方向に移動する際、引戸扉４の閉鎖速度を制動するようにしている。
回転式制動機構１０は、従来例と同様に回転一方向側に制動機能を有する所謂ワンウェイベアリングを採用している。そして、この回転式制動機構１０は、ワンウェイベアリングによって一方向側の回転を制御する回転軸１０ａにピニオン１１を取り付け、フランジ１４を介して引戸扉４の上面に配設するようにしている。
フランジ１４は、図例の如く走行車輪４ａを引戸扉４の上面に固定するブラケットの一端部分を代用して固定する例を示すが、ブラケットとは別の位置で引戸扉４の上面に直接固定するように構成することもできる。
【００１５】
そして、本実施例の引戸扉の制動装置１では、前記ピニオン１１が噛合するラック部材１２を、引戸扉４の全閉該当位置近傍の固定側（例えば、引戸枠部材２）に、同ラック部材１３を、引戸扉４の全閉と全開の中間該当位置近傍の固定側（同上）とに、それぞれ配設するようにしている。
なお、さらに開口幅の大きい引戸装置においては、ラック部材を、引戸扉の全閉と全開の中間該当位置近傍の固定側に２箇所以上、合計３箇所以上配設することもできる。
【００１６】
この場合、ラック部材１２、１３は、ラック歯を下側に向けた方向で配設することが好ましい。
これによって、ピニオン１１がラック部材１２、１３に乗り上げることによって生じる異音の発生を防止することができる。
【００１７】
また、引戸扉４の全閉と全開の中間該当位置近傍の固定側に配設するラック部材１３は、引戸扉４を吊り下げる走行用レール６と平行に形成した取付部１６に、取付位置を変更可能に配設することができる。
これにより、引戸扉４の全閉と全開の中間位置における引戸扉４の制動範囲Ｓ１を任意の位置に変更したり、引戸扉４の全開位置から引戸扉４が加速移動する範囲Ｆ１を簡単に増減することができる。
【００１８】
引戸枠部材２に配設する取付部１６は、図３（ａ）に示すように、走行用レール６と平行線上で等間隔に多数（図例では６個）のネジ穴１６ａを形成して構成するようにしている。そして、ラック部材１３に開口した長穴１３ｂを通してネジ穴１６ａに締結具１３ａを螺合するもので、ネジ穴１６ａの位置によってラック部材１３の大まかな位置決めを、ラック部材１３に開口した長穴１３ｂによって細かな位置決めを行うようにする。
また、図３（ｂ）に示すように、取付部１６は、断面Ｔ字状のスライド溝１６ｂを全長に亘って設け、ラック部材１３の背面から突出した断面Ｔ字状のスライダ１３ｃを嵌合させ、所望の位置でストッパ１７で固定するように構成することもできる。
【００１９】
また、ラック部材１２、１３を取り付ける固定側の位置は、回転式制動機構１０のピニオン１１の配設位置によって相対的に変わり、図１〜図２に示すように、ピニオン１１を引戸扉４の戸先側に配設する場合は、ラック部材１２を配設する引戸扉４の全閉該当位置近傍の固定側とは、縦枠２ａ近傍位置となり、図４に示すように、ピニオン１１を引戸扉４の戸尻側に配設する場合は、ラック部材１２を配設する引戸扉４の全閉該当位置近傍の固定側とは、方立２ｂ近傍位置となる。
【００２０】
しかして、引戸扉４が全開位置で適宜停止手段（図示省略）によって停止している状態から閉鎖位置への移動に際し、引戸扉４は、加速移動範囲Ｆ１を通過する際には徐々に閉鎖速度が増すものの、引戸扉４の全閉と全開の中間該当位置近傍の固定側に配設したラック部材１３にピニオン１１が噛合したとき、引戸扉４の閉鎖速度は制限され、この制動範囲Ｓ１では、引戸扉４の閉鎖速度は減速され、緩やかとなる。
そして、この制動範囲Ｓ１をピニオン１１が通過したとき引戸扉４の閉鎖速度は、加速移動範囲Ｆ２の範囲で再び増すことになるが、一旦、制動範囲Ｓ１によって閉鎖速度が低下しているためそれ以降も緩やかな閉鎖速度となる。
その後、引戸扉４の全閉該当位置近傍に配設したラック部材１２にピニオン１１が噛合したとき、引戸扉４の閉鎖速度再び制限され、図２に示すように、この制動範囲Ｓ２の範囲で徐々に速度が減速され静かに全閉位置で停止する。
【００２１】
なお、本実施例においては、ピニオン１１が乗り上げて発生する異音を防止するために、ラック部材１２、１３のラック歯が下向きとなるように配設するようにしたが、回転式制動機構１０の制動方向を逆方向とすることで、図５（ａ）に示すように、ラック部材１２ａ、１３ａのラック歯が上向きとなるように取り付けることもできる。
【００２２】
また、図５（ｂ）に示すように、引戸扉４の閉鎖方向への移動時の制動を行うためのラック部材１２、１３に加えて、引戸扉４の開放方向への移動時での制動を行うためのラック部材１５を配設することもできる。
【００２３】
以上、本発明の引戸扉の制動装置について、その実施例に基づいて説明したが、本発明は上記実施例に記載した構成に限定されるものではなく、その趣旨を逸脱しない範囲において適宜その構成を変更することができるものである。
【産業上の利用可能性】
【００２４】
本発明の引戸扉の制動装置は、引戸扉が閉鎖する直前に加えて、引戸扉の全閉と全開の中間位置において引戸扉の制動を行うようにすることによって、開口部の中心付近で引戸扉の移動速度が増大し過ぎることを防止することができるという特性を有することから、老人や体の不自由な使用者等が使用する引戸装置に好適に用いることができ、また、新設の引戸装置のほか、既設の引戸装置にもラック部材を追加するだけで簡易に適用することができる。
【図面の簡単な説明】
【００２５】
【図１】本発明の引戸扉の制動装置を示す引戸扉の全開位置での正面図である。
【図２】本発明の引戸扉の制動装置を示す引戸扉の全閉位置での正面図である。
【図３】本発明のラック部材を取り付ける取付部の説明図で、（ａ）はネジ止め方式の説明図、（ｂ）はレール方式の説明図、（ｃ）は（ｂ）のＸ−Ｘ断面図である。
【図４】本発明の引戸扉の制動装置の別の実施例を示す引戸扉の全閉位置での正面図である。
【図５】本発明の引戸扉の制動装置の別の実施例を示す一部切り欠きの概略説明図である。
【図６】従来の引戸扉の制動装置を示す一部切り欠きの正面図である。
【図７】従来の別の引戸扉の制動装置を示す全開位置での正面図である。
【図８】従来の別の引戸扉の制動装置を示す全閉位置での正面図である。
【符号の説明】
【００２６】
１    引戸扉の制動装置
２    引戸枠部材
４    引戸扉
１０  回転式制動機構
１０ａ  回転軸
１１  ピニオン
１２  ラック部材
１３  ラック部材
１６  取付部
【図１】
2008007957.tif 000003
【図２】
2008007957.tif 000004
【図３】
2008007957.tif 000005
【図４】
2008007957.tif 000006
【図５】
2008007957.tif 000007
【図６】
2008007957.tif 000008
【図７】
2008007957.tif 000009
【図８】
2008007957.tif 000010